(57)【要約】      （修正有）【課題】携帯端末などからの入力情報を小さいサイズの記録媒体等に記録する場合において、その記録結果を見やすいように記録することの可能な記録装置及び記録方法を提供する。【解決手段】外部機器から入力した情報を複数サイズの記録媒体に記録することが可能な記録装置であって、記録に用いる記録媒体のサイズと外部機器から受信した受信データのデータ形式とに従って、受信データから記録に用いるデータを抽出し、その抽出されたデータを用いて記録を行う。【選択図】図６
2005212252.tif 000002
【特許請求の範囲】
【請求項１】
外部機器から入力した情報を複数サイズの記録媒体に記録することが可能な記録装置であって、
記録に用いる記録媒体のサイズを決定する決定手段と、
前記外部機器からデータを受信する受信手段と、
前記受信手段により受信した受信データのデータ形式を判別する判別手段と、
前記決定手段により決定した記録媒体のサイズと、前記判別手段により判別した受信データのデータ形式とに従って、前記受信データから記録に用いるデータを抽出する抽出手段と、
前記抽出手段によって抽出されたデータを用いて前記記録に用いる記録媒体に記録を行なう記録手段とを有することを特徴とする記録装置。
【請求項２】
前記受信手段は、無線インタフェースと有線インタフェースとを用いてデータを受信可能であることを特徴とする請求項１に記載の記録装置。
【請求項３】
前記無線インタフェースには、赤外線通信インタフェース、又はBluetooth規格に準拠したインタフェースとを含むことを特徴とする請求項２に記載の記録装置。
【請求項４】
前記外部機器は、無線インタフェースを備えた携帯電話、情報携帯端末、ラップトップ型コンピュータを含むことを特徴とする請求項１乃至３のいずれかに記載の記録装置。
【請求項５】
前記受信手段は、所定のプロトコルに従って前記無線インタフェースによるデータ受信を行い、前記記録媒体のサイズ指定のコマンドを受信可能であり、さらには、前記データ形式に従ってデータ項目別にデータを受信可能であることを特徴とする請求項２に記載の記録装置。
【請求項６】
前記抽出手段は、前記決定手段により決定した記録媒体のサイズに対応して所定のデータ項目を前記受信データから抽出することを特徴とする請求項５に記載の記録装置。
【請求項７】
外部機器から入力した情報を複数サイズの記録媒体に記録する際の記録方法であって、
記録に用いる記録媒体のサイズを決定する決定工程と、
前記外部機器からデータを受信する受信工程と、
前記受信工程において受信した受信データのデータ形式を判別する判別工程と、
前記決定工程において決定した記録媒体のサイズと、前記判別工程において判別した受信データのデータ形式とに従って、前記受信データから記録に用いるデータを抽出する抽出工程と、
前記抽出工程において抽出されたデータを用いて前記記録に用いる記録媒体に記録を行なう記録工程とを有することを特徴とする記録方法。
【発明の詳細な説明】
【技術分野】
【０００１】
本発明は記録装置及び記録方法に関し、特に、例えば、インクジェット方式によりインクを吐出して記録を行なう記録ヘッドを備えた記録装置及び記録方法に関する。
【背景技術】
【０００２】
従来より、外部機器から入力した情報を複数サイズの記録媒体（例えば、記録用紙）に記録を行う記録装置が知られている。そして、その外部機器としては、所謂、デスクトップ型のパーソナルコンピュータのみならず、近年は、ラップトップ型のパーソナルコンピュータ、携帯電話、ＰＤＡ（携帯情報端末）といった形態の携帯端末も数多く存在するようになっている。これらの携帯端末は用途も多様で個人情報やビジネス情報などを混在して保持している場合が多い。
【０００３】
また、携帯電話には、他の携帯電話や外部の機器と通信するための赤外線通信用インターフェースを備え、この赤外線を利用して無線で他の携帯電話や外部の機器と通信可能としたものが知られている。このような携帯電話には、テレビのリモコンの代用として活用できるものや、電話回線を介することなく携帯電話同士で、データや撮像した画像の交換可能なものがある。また、赤外線通信に限らず、Bluetooth規格に準拠した無線通信が可能な携帯電話も知られている。
【０００４】
また、このような赤外線通信インターフェースを備え、無線通信によってデータを受信可能なインクジェットプリンタの構成が特許文献１に開示されている。
【特許文献１】特開２００１−７５７６５号公報
【発明の開示】
【発明が解決しようとする課題】
【０００５】
しかしながら従来は、このように多様な用途によって蓄積された情報を記録する場合、プリント出力を要求している全ての情報をそのまま記録するため、小さいサイズの記録媒体に記録したい場合などは縮小印刷を行うか、或いは、複数枚の記録媒体に渡って印刷を行わなければならず、印刷結果が見づらい等と言う問題点があった。
【０００６】
本発明は上記従来例に鑑みてなされたもので、例えば、携帯端末などからの入力情報を小さいサイズの記録媒体等に記録する場合においても、その記録結果を見やすいように記録することの可能な記録装置及び記録方法を提供することを目的としている。
【課題を解決するための手段】
【０００７】
上記目的を達成するために本発明の記録装置は、以下のような構成からなる。
【０００８】
即ち、外部機器から入力した情報を複数サイズの記録媒体に記録することが可能な記録装置であって、記録に用いる記録媒体のサイズを決定する決定手段と、前記外部機器からデータを受信する受信手段と、前記受信手段により受信した受信データのデータ形式を判別する判別手段と、前記決定手段により決定した記録媒体のサイズと、前記判別手段により判別した受信データのデータ形式とに従って、前記受信データから記録に用いるデータを抽出する抽出手段と、前記抽出手段によって抽出されたデータを用いて前記記録に用いる記録媒体に記録を行なう記録手段とを有することを特徴とする記録装置を備える。
【０００９】
なお、前記受信手段は、無線インタフェースと有線インタフェースとを用いてデータを受信可能であり、その無線インタフェースには、赤外線通信インタフェース、又はBluetooth規格に準拠したインタフェースなどが含まれることが望ましい。
【００１０】
また、前記外部機器は、無線インタフェースを備えた携帯電話、情報携帯端末、ラップトップ型コンピュータなどを含む。
【００１１】
さらに、前記受信手段は、所定のプロトコルに従って前記無線インタフェースによるデータ受信を行い、前記記録媒体のサイズ指定のコマンドを受信可能であり、さらには、前記データ形式に従ってデータ項目別にデータを受信可能であることが望ましく、このようにすることで、前記抽出手段は、前記決定手段により決定した記録媒体のサイズに対応して所定のデータ項目を前記受信データから抽出する。
【００１２】
また他の発明によれば、外部機器から入力した情報を複数サイズの記録媒体に記録する際の記録方法であって、記録に用いる記録媒体のサイズを決定する決定工程と、前記外部機器からデータを受信する受信工程と、前記受信工程において受信した受信データのデータ形式を判別する判別工程と、前記決定工程において決定した記録媒体のサイズと、前記判別手段において判別した受信データのデータ形式とに従って、前記受信データから記録に用いるデータを抽出する抽出工程と、前記抽出工程において抽出されたデータを用いて前記記録に用いる記録媒体に記録を行なう記録工程とを有することを特徴とする記録方法を備える。
【発明の効果】
【００１３】
従って本発明によれば、記録に用いる記録媒体のサイズに従って記録に用いるデータが抽出され、その抽出されたデータを用いる記録を行うので、外部機器からの入力情報を、例えば、名刺のような、小さいサイズの記録媒体に記録する場合には、記録データ量が少なくなり、印刷結果が見づらくなるといった不具合を解消する事ができ、用途に応じて最適な記録結果を提供することができるという効果がある。
【発明を実施するための最良の形態】
【００１４】
以下添付図面を参照して本発明の好適な実施例について詳細に説明する。
【００１５】
なお、この明細書において、「記録」（「プリント」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００１６】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１７】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００１８】
またさらに、「ノズル」とは、特にことわらない限り吐出口ないしこれに連通する液路およびインク吐出に利用されるエネルギーを発生する素子を総括して言うものとする。
【００１９】
＜インクジェット記録装置の説明（図１〜図３）＞
図１は本発明の代表的な実施例であるＡＣ電源とＤＣ電源の両方で駆動可能なインクジェット記録装置（以下、記録装置という）の全体構成の概要を示す外観斜視図である。
【００２０】
図１に示すように、この記録装置は、インクジェットプリンタ（以下、プリンタ）８００、バッテリーを内蔵しプリンタ８００本体に着脱可能なバッテリーチャージャ９００、及び両者を取り付けた状態で縦置きに収容するための置き台であるクレイドル９５０から構成される。なお、このプリンタで記録する記録媒体として紙を例にとって説明するが、記録媒体はこれに限らず、記録可能なシート状の媒体ならばどれでも構わない。
【００２１】
さて、図１において、プリンタ８００の外観は、上ケース８０１、下ケース８０２、給紙カバー８０３、排紙口カバー８０４によって構成された一体シェル構造であり、プリンタとして非使用時（据え置き時、携帯時など）は、この形態をとるものである。また、プリンタ８００の側面には、ＡＣ電源から電力供給を受ける場合に使用するＡＣアダプタケーブル（不図示）を差し込むＤＣｉｎジャック（直流電源入力用ジャック）８１７とＵＳＢケーブルを接続するためのＩ／Ｆ（インタフェース）コネクタ８１５が設けられている。給紙カバー８０３は記録時にプリンタ本体に対して開いて紙などの記録シートを載せるための記録シート供給トレイとなる。
【００２２】
次に、バッテリーチャージャ９００の外観は、メインケース９０１、カバーケース９０２、バッテリー蓋９０３によって構成され、バッテリー蓋９０３を外してメインケース９０１を開口することにより充電池を内蔵したバッテリーパックを取り外すことが可能である。
【００２３】
また、バッテリーチャージャ９００とプリンタ８００との装着面（接続面）には、電気的に接続するための本体用コネクタ９０４と、機械的に取り付け及び固定するための固定ビス９０５，９０６を有し、図１の矢印Ａ方向にプリンタ本体に接続することによって、プリンタ８００はバッテリー駆動可能になる。さらにバッテリーチャージャ９００の天面には、バッテリーの充電状態を示す充電表示部９０９を有し、バッテリーチャージャ９００の側面には、ＡＣアダプタケーブルを差し込むＣＨＧ−ＤＣｉｎジャック９０７と、バッテリーチャージャ９００を取り付けたときにプリンタ８００のＤＣｉｎジャック８１７を覆うための目隠し板９０８が設けられている。
【００２４】
クレイドル９５０は、プリンタ８００にバッテリーチャージャ９００を取り付けた状態で、図１の矢印Ｂ方向に挿入することにより置き台として機能する。なお、クレイドル９５０には、プリンタ８００とバッテリーチャージャ９００とを取り付けた場合にも、ＣＨＧ−ＤＣｉｎジャック９０７にＡＣアダプタケーブルを差し込んで充電が可能なように、開口部９５６が設けられている。
【００２５】
図２はプリンタ８００にバッテリーチャージャ９００を装着した状態を、プリンタ背面側で且つプリンタ天面側を斜め上から見た斜視図である。
【００２６】
図２に示すように、プリンタ８００の背面にバッテリーチャージャ９００を取り付け、固定ビス９０５，９０６で固定することにより、プリンタ８００は、バッテリー駆動可能なプリンタとなる。
【００２７】
また、前述したように、バッテリーチャージャ９００に設けられた目隠し板９０８により、プリンタ８００のＤＣｉｎジャック８１７を覆うように構成されている。このため使用者はバッテリーチャージャ９００の取り付け時には、ＡＣアダプタケーブルを間違いなくバッテリーチャージャ９００のＣＨＧ−ＤＣｉｎジャック９０７側に差し込むことになるので、誤挿入を防止することができる。
【００２８】
バッテリーチャージャ９００の背面には、メインケース９０１に設けられた４ヶ所の足部９０１ａ，９０１ｂ，９０１ｃ，９０１ｄが設けられている。また、その背面には、クレイドル９５０に取り付けたときに電気的にコンタクトするための接点部９１０ａ，９１０ｂ，９１０ｃが設けられている。
【００２９】
さらに図２に示すように、バッテリーチャージャ９００の充電表示部９０９は、プリンタ８００を装着し、記録のために使用する時に視認しやすい天面で、且つ給紙カバー８０３を開いていた時にも視認を遮られない位置に配されている。
【００３０】
図３はプリンタ８００の内部構成を示す斜視図である。
【００３１】
図３に示されているように、記録ヘッド１０５はキャリッジ１０４に搭載されてガイドレール１０３に沿って長手方向に往復運動可能となっている。記録ヘッド１０５より吐出されたインクは、記録ヘッド１０５と微小な間隔をおいて、プラテン（不図示）に記録面を規制された記録媒体１０２に達し、その上に画像を形成する。
【００３２】
記録ヘッド１０５には、フレキシブルケーブル１１９を介して画像データに応じて記録信号が供給される。
【００３３】
なお、図３において、１１４はキャリッジ１０４をガイドレール１０３に沿って走査させるためのキャリッジモータである。１１３はキャリッジモータ１１４の駆動力をキャリッジ１０４に伝達するキャリッジベルトである。また、１１８は搬送ローラ１０１に結合して記録媒体１０２を搬送させるための搬送モータである。
【００３４】
また、記録ヘッド１０５はインクタンク１０５ａと結合してヘッドカートリッジを構成する。このヘッドカートリッジは記録ヘッドとインクタンクとが分離可能な構成でも良いし、一体化した構成でも良い。
【００３５】
さらにまた、１０７は給紙時に記録媒体１０２をピックアップして装置内に導き入れるためのピックアップローラであり、１０８は排紙時に記録媒体１０２を装置外に排出するための排紙ローラである。
【００３６】
この実施例の記録装置では、複数サイズの記録用紙から所望のサイズを選択して記録に用いることができる。そのサイズには、名刺サイズ、システム手帳ミニサイズ、システム手帳バイブルサイズ或いはＡ５サイズ、Ａ４サイズ用紙などが含まれる。
【００３７】
そして、上記のほとんどの機構部品は装置のベースシャーシ１０９に取り付けられる。
【００３８】
＜インクジェット記録装置の制御構成（図４）＞
図４は図１〜図３に示したプリンタ８００の制御構成を示すブロック図である。
【００３９】
図４に示すように、コントローラ６００は、ＭＰＵ６０１、後述する制御シーケンスに対応したプログラム、所要のテーブル、その他の固定データを格納したＲＯＭ６０２、キャリッジモータ１１４の制御、搬送モータ１１８の制御、及び、記録ヘッド３の制御のための制御信号を生成する特殊用途集積回路（ＡＳＩＣ）６０３、画像データの展開領域やプログラム実行のための作業用領域等を設けたＲＡＭ６０４、ＭＰＵ６０１、ＡＳＩＣ６０３、ＲＡＭ６０４を相互に接続してデータの授受を行うシステムバス６０５、以下に説明するセンサ群からのアナログ信号を入力してＡ／Ｄ変換し、デジタル信号をＭＰＵ６０１に供給するＡ／Ｄ変換器６０６などで構成される。
【００４０】
また、図４において、６１０は画像データの供給源となるデスクトップコンピュータ（或いは、画像読取り用のリーダ、デジタルカメラ、携帯電話、携帯情報端末（ＰＤＡ）、ラップトップコンピュータなど）でありホスト装置と総称される。ホスト装置６１０と記録装置との間ではインタフェース（Ｉ／Ｆ）６１１を介して画像データ、コマンド、ステータス信号等を送受信する。
【００４１】
さらに、６２０はスイッチ群であり、電源スイッチ６２１、プリント開始を指令するためのプリントスイッチ６２２、及び記録ヘッド１０５のインク吐出性能を良好な状態に維持するための処理（回復処理）の起動を指示するための回復スイッチ６２３など、操作者による指令入力を受けるためのスイッチから構成される。６３０はホームポジションを検出するためのフォトカプラなどの位置センサ６３１、環境温度を検出するために記録装置の適宜の箇所に設けられた温度センサ６３２等から構成される装置状態を検出するためのセンサ群である。
【００４２】
さらに、６４０はキャリッジ１０４をガイドレール１０３に沿って往復走査させるためのキャリッジモータ１１４を駆動させるキャリッジモータドライバ、６４２は記録媒体１０２を搬送するための搬送モータ１１８を駆動させる搬送モータドライバである。
【００４３】
ＡＳＩＣ６０３は、記録ヘッド１０５による記録走査の際に、ＲＡＭ６０２の記憶領域に直接アクセスしながら記録ヘッドに対して記録素子（吐出ヒータ）の駆動データ（ＤＡＴＡ）を転送する。
【００４４】
なお、記録ヘッド１０５の内部にはヘッド温度を測定するためのヘッド温度センサ１０５ｂが設けられている。
【００４５】
また、プリンタ８００にはＡＣ電源やＤＣ電源からの電力供給がなくなっても計時動作を続行することが可能なように小型電池（リチウム電池、ニッケル水素電池、アルカリボタン電池、酸化銀電池、空気亜鉛電池など）６０８からの電力供給を受けて動作可能なタイマ６０７が備えられている。そして、タイマ６０７によって計測された時刻はＥＥＰＲＯＭなどの不揮発性メモリ６０９に格納される。なお、不揮発性メモリとしてはＥＥＰＲＯＭの他に、ＦｅＲＡＭ、ＭＲＡＭなどを用いても良い。
【００４６】
なお、この記録装置は、ＡＣ電源とＤＣ（電池）電源両用であるので、ＡＣアダプタ（不図示）からのＡＣ電力が供給されて動作している状態で、ＡＣアダプタが引き抜かれたとしても、ＤＣ（電池）から電力が供給されて動作を継続することが可能である。このため、この記録装置はＡＣアダプタ駆動か電池駆動かを判別する機構を備える。このような機構は、公知であるので、ここでの詳細な説明は省略する。
【００４７】
さらに、この記録装置のインタフェース（Ｉ／Ｆ）６１１は、ＵＳＢのような有線インタフェースと、ＩＥＥＥ８０２．１１ｘ、ＩｒＤＡ、Bluetooth規格に準拠した通信機能などの無線インタフェースの両方を備えている。
【００４８】
図５は、無線インタフェースとその周辺の詳細な機能構成を示すブロック図である。
【００４９】
図５に示されるように、無線インタフェース処理部１０００は、赤外線通信プロトコルに準拠した赤外線インタフェース（Ｉ／Ｆ）１０１０と周波数２．４ＧＨｚ帯においてスペクトラム拡散方式を適用したBluetoothインタフェース（Ｉ／Ｆ）１０２０とを備えている。
【００５０】
赤外線インタフェース１０１０には赤外線物理層処理部１０１１と赤外線モジュール部１０１２とが備えられており、赤外線モジュール部１０１２を通して受信された信号は赤外線物理層処理部１０１１により符号化データの解析がなされ、正常に受信された場合は受信データを赤外線インタフェース１０１０に出力し、異常が発生した場合はエラー発生を赤外線インタフェース１０１０に通知し、赤外線インタフェース１０１０は規定時間以内の応答がないなら再受信設定を行い再送データを待ち合わせる。
【００５１】
また、赤外線インタフェース１０１０からの送信データは赤外線物理層処理部１０１１により出力データに符号化処理を施し、赤外線モジュール部１０１２より送信される、このようにして、プリンタ本体の外部にある携帯電話やＰＤＡなどの通信機器に対してデータが送信される。
【００５２】
一方、Bluetoothインタフェース１０２０にはベースバンド部１０２１、ＲＦ部１０２２、アンテナ１０２３が備えている。アンテナ１０２３を通して受信された信号はＲＦ部２０１により復調処理が施され、ベースバンド部１０２１に出力される。ベースバンド部１０２１は復調データの誤り訂正処理をおこない、その処理結果に応じて正常に受信されたデータをBluetoothインタフェース１０２０に出力し、誤りが発見されたデータに対しては通信相手に対して再送要求を行う。
【００５３】
また、Bluetoothインタフェース１０２０からの送信データは、ベースバンド部１０２１により出力データに誤り訂正符合等を付加し、所定のデータフォーマットに変換してＲＦ部１０２２に出力される。ＲＦ部１０２２は出力されたデータを変調し、アンテナ１０２２により通信機器へ送信される。
【００５４】
更に、無線インタフェース処理部１０００は、オブジェクト交換プロトコルに準じた解析部１０３０を備えている。そして、赤外線インタフェース１０１０とBluetoothインタフェース１０２０の通信解析において、どちらのインタフェースでもオブジェクト交換が可能になっている。尚、このオブジェクト交換プロトコルはIrOBEXプロトコル（Infrared Object Exchange Protocol）である。
【００５５】
さて、以上の構成の無線インタフェース処理部１０００には、無線インタフェース処理部１０００の複数のインタフェースに対応する複数のバッファ０〜ｎにより構成されている受信バッファ１０４０が接続されている。例えば、赤外線インタフェースを介して受信されたデータはバッファ０に、Bluetoothインタフェースを介して受信されたデータはバッファ１に格納される。
【００５６】
前述したホスト装置６１０から無線インタフェースを介して入力された記録データ、制御コマンド等を含むデータは、無線インタフェース処理部１０００で受信したデータのヘッダデータ等を解析してインタフェースの種類、パケットのサイズ等を特定し、特定したインタフェースに対応するバッファｎに、受信したパケット中のデータ（ヘッダデータ等を除く）を格納する。
【００５７】
ＭＰＵ６０１或いはＡＳＩＣ６０３の一機能として実現されるデータ解析部１０５０は、受信バッファ１０４０に格納されたデータを順次読み出して、プリントバッファ１０６０に格納することを基本的な処理としている。なお、プリントバッファ１０６０はＲＡＭ６０４に定義されるバッファ領域である。
【００５８】
これに加え、データ解析部１０５０は無線インタフェース処理部１０００を介してホスト装置６１０から受信する特定のコマンド形式を用い、このコマンドの受信によって記録装置の用紙サイズを変更できる用紙サイズ指定コマンド解析処理部１０５１を備え、例えば、名刺サイズ、システム手帳ミニサイズ、システム手帳バイブルサイズ、システム手帳Ａ５サイズ、Ａ４サイズ等の記録用紙のサイズを指定することができる。そして、指定された用紙サイズに応じて、無線インタフェース処理部１０００を介して、ホスト装置６１０から入力される情報を抽出し、プリントバッファ１０６０に格納する印刷項目抽出処理部１０５２も備えている。
【００５９】
以上のように、データ解析部１０５０で解析され、必要な記録データのみがプリントバッファ１０６０に格納されるとＭＰＵ６０１は、プリントバッファ１０６０から記録データを読み出し、これを記録ヘッド１０５に転送して記録動作を行わせる。また、このとき搬送モータ１１８による記録媒体の搬送制御や、キャリッジモータ１１４による記録ヘッド１０５の走査動作の制御を行う。
【００６０】
尚、ここで説明している実施例の記録装置の構成は特定のインタフェース（赤外線インタフェース（ＩｒＤＡ）とBluetoothインタフェース）で構成されているが、本発明はこれによって限定されるものではなく、他のインタフェース、例えば、ＩＥＥＥ８０２．１１ｘなどの規格に準拠した無線通信機能、ならびにその無線通信インタフェースを備えても良い。また、用紙サイズの指定方法や種類についてもこの実施例の説明に限定されるものではない。
【００６１】
次に、以上のような構成の記録装置を用いた記録処理についてフローチャートを参照して説明する。
【００６２】
図６はこの実施例に従う記録処理を示すフローチャートである。このフローチャートでは、記録媒体（例えば、記録用紙）のサイズに応じて、印刷すべき項目を抽出する処理について説明している。
【００６３】
図７は指定された用紙サイズに基づいた記録すべき抽出項目の一覧を示す図である。
【００６４】
図７からも分かるように、記録媒体（ここでは、記録用紙）のサイズによって、入力された情報内容から印刷項目を絞っている。
【００６５】
まず、ステップＳ１１０において、ある特定のコマンド形式で記録装置に受信入力されたコマンドを用紙サイズ指定コマンド解析処理部１０５１で指定された用紙サイズを判別し、この記録装置が所定の用紙サイズで印刷する事を認識する。この判別結果は、ＲＡＭ６０４の所定の領域に記憶される。
【００６６】
次に、ステップＳ１２０では、無線インタフェース処理部１０００の各インタフェースからオブジェクト交換プロトコルに準じたデータが入力され、インタフェースに応じた受信バッファ１０４０に必要なデータのみ格納していく。
【００６７】
さらに、ステップＳ１３０では、指定された用紙サイズで印刷可能なデータとして、オブジェクト交換プロトコルに準じたIrOBEX転送を用いたｖ形式規格のいずれのフォーマットであるかを調べる。なお、この実施例では、ｖ形式規格のvCard、vCalendar、vMessage、及びvNoteに基づいた判定を行っているが、本発明がこれらの形式のみによって限定されるものではないことは言うまでもない。この判定は、受信バッファ１０４０に格納されたデータをデータ解析部１０５０によりデータ解析を行うことで、どのｖ形式データであるかを判断する。
【００６８】
例えば、ｖ形式データを転送可能なホスト装置６０１である携帯電話からアドレス帳データの一部を記録装置が受信した場合、ステップＳ１３０では受信データが“vCard”であると判断し、処理はステップＳ１４０へ進む。
【００６９】
ステップＳ１４０では、ステップＳ１１０で判別された用紙サイズが何であるのかを調べる。ここで、その用紙サイズに名刺サイズが指定されていたと判断された場合、処理はステップＳ１４１に進み、画像、氏名、住所、メールアドレス３件まで、電話番号３件まで、そして、誕生日データのみを記録データから抽出し、ステップＳ１８０において印刷を行う。その後、処理は終了する。
【００７０】
また、その用紙サイズにシステム手帳ミニサイズが指定されていたと判断された場合、処理はステップＳ１４２に進み、図７にも示されているように、氏名、住所、メールアドレス３件まで、電話番号３件まで、そして、誕生日データのみを記録データから抽出し、ステップＳ１８０では印刷を行う。その後、処理は終了する。あるいは、その用紙サイズにシステム手帳バイブルサイズ／システム手帳Ａ５サイズが指定されていたと判断された場合、処理はステップＳ１４３に進み、図７にも示されているように、氏名、住所、メールアドレス、電話番号、ＦＡＸ番号、メモを必須項目として抽出し、データが存在したなら印刷を行う項目として、会社名、役職名、職業、ＵＲＬ、誕生日、メールソフト種類、時間帯（タイムゾーン）、地理的位置情報、公開鍵、最終改訂日時の項目を抽出する。そして、抽出されたデータを用いてステップＳ１８０では印刷を行う。その後、処理は終了する。
【００７１】
また或いは、その用紙サイズにＡ４サイズが指定されていたと判断された場合、処理はステップＳ１４４に進み、図７にも示されているように、処理はステップＳ１４４に進み、氏名、住所、メールアドレス、電話番号、ＦＡＸ番号、メモを必須項目として抽出し、データが存在したなら印刷を行う項目として、会社名、役職名、職業、ＵＲＬ、誕生日、メールソフト種類、時間帯（タイムゾーン）、地理的位置情報、公開鍵、ユーザーＩＤ、最終改訂日時の項目を抽出する。そして、抽出されたデータを用いてステップＳ１８０では印刷を行う。その後、処理は終了する。
【００７２】
このように、たとえ、データ形式が同じであっても、印刷のために用いるデータ項目が用紙サイズに従って異なっているのは、例えば、名刺サイズという限られた用紙サイズに印刷を行う場合は必要最低限のデータを印刷する事で１つの情報が複数枚印刷になる事を防ぎ、また個人情報として顔写真などの情報を載せる事で情報量の少なさをカバーできるようにするためであり、一方、Ａ４サイズのように相対的大きなサイズの用紙に印刷する場合は多くのデータを印刷する事で用途に応じたプリント出力を可能にするためである。
【００７３】
さて、ステップＳ１３０において受信データが“vCalendar”であると判断された場合、処理はステップＳ１５０へ進み、ステップＳ１１０で判別された用紙サイズが何であるのかを調べるが、ここでは、その用紙サイズに係らず、処理はステップＳ１５１に進み、年月日、時刻、項目、（何かのプロジェクトの）終了日時及び完了日時を記録データから抽出しステップＳ１８０では印刷を行う。その後、処理は終了する。
【００７４】
さらに、ステップＳ１３０で受信データが“vMessage”と判断された場合、処理はステップＳ１６０に進み、ステップＳ１１０で判別された用紙サイズが何であるのかを調べる。ここで、そのサイズ用紙に名刺或いはシステム手帳ミニサイズが指定されていたと判断された場合、処理はステップＳ１６１に進み、送信者、日時、表題、及び本文を記録データから抽出し印刷を行う。その後、処理は終了する。これに対して、そのサイズ用紙にシステム手帳バイブル／Ａ５或いはＡ４サイズが指定されていたと判断された場合、処理はステップＳ１６２に進み、送信者、日時、受信者、複写送信先、表題、及び本文を記録データから抽出しステップＳ１８０では印刷を行う。その後、処理は終了する。
【００７５】
このように、データ形式が同じであっても、印刷のために用いるデータ項目が用紙サイズに従って異なっているのは、受信メッセージを複数ページに渡る印刷を行うより見開き１ページで情報が完結している方が見やすい事などを考慮して印刷項目を絞んでいるためである。用紙サイズで同じシステム手帳サイズであっても、ミニサイズとバイブル／Ａ５サイズでは用紙サイズが異なるのでその大きさによって選択される印刷項目を変化させている。
【００７６】
同様の理由から、ステップＳ１３０で受信データが“vNote”と判断された場合、処理はステップＳ１７０に進み、ステップＳ１１０で判別された用紙サイズが何であるのかを調べるのであるが、そのサイズ用紙に名刺、システム手帳ミニサイズ、或いはシステム手帳バイブル／Ａ５サイズが指定されていたと判断された場合、処理はステップＳ１７１に進み、図７に示されているように、題名と本文を記録データから抽出し印刷を行う。その後、処理は終了する。これに対して、そのサイズ用紙にＡ４サイズが指定されていたと判断された場合、処理はステップＳ１７２に進み、題名、本文、カテゴリ、クラス、作成日時、最終更新日時を記録データから抽出しステップＳ１８０では印刷を行う。その後、処理は終了する。
【００７７】
従って以上説明した実施例に従えば、記録媒体のサイズに応じてプリント内容を絞り込むことにより、用途に応じて最適化されたプリント結果を提供することができる。
【図面の簡単な説明】
【００７８】
【図１】本発明の代表的な実施例であるインクジェット記録装置の全体構成の概要を示す外観斜視図である。
【図２】図１に示したインクジェットプリンタにバッテリーチャージャを装着した状態を示す斜視図である。
【図３】プリンタ８００の内部構成を示す斜視図である。
【図４】図１〜図３に示したプリンタ８００の制御構成を示すブロック図である。
【図５】無線インタフェースとその周辺の詳細な機能構成を示すブロック図である。
【図６】記録処理を示すフローチャートである。
【図７】指定された用紙サイズに基づいた記録すべき抽出項目の一覧を示す図である。
【符号の説明】
【００７９】
１０５  記録ヘッド
６０１  ＭＰＵ
６１０  ホスト装置
６１１  インタフェース
１０００  無線インタフェース処理部
１０１０  赤外線インタフェース
１０２０  Bluetoothインタフェース
１０３０  IrOBEX解析部
１０４０  受信バッファ
１０５０  データ解析部
１０６０  プリントバッファ
【図１】
2005212252.tif 000003
【図２】
2005212252.tif 000004
【図３】
2005212252.tif 000005
【図４】
2005212252.tif 000006
【図５】
2005212252.tif 000007
【図６】
2005212252.tif 000008
【図７】
2005212252.tif 000009